【手続補正書】
【提出日】平成23年5月12日(2011.5.12)
【手続補正１】
【補正対象書類名】明細書
【補正対象項目名】００１３
【補正方法】変更
【補正の内容】
【００１３】
従って、図１〜図３に示したような折り畳み式セル組立体１０では、配列は、２、３、４、４、４、４、３、２である。従って、図１〜図３に示したような折り畳み式セル組立体１０では、Ａ＝３、Ｂ＝４、ｚ＝４、及びＣ＝３である。従って、図１〜図３に示したような折り畳み式セル組立体１０内のセル１６の数は、（４−１）×（４＋４−２）となり、１８個である。更に、パネル１４の数は、（（４−１）×２）＋（４−１）となり、９枚である。更に、図４に示したような折り畳み式セル組立体１０の場合、配列は、２、３、４、３、２である。従って、図４に示したような折り畳み式セル組立体１０では、Ａ＝３、Ｂ＝４、ｚ＝１及びＣ＝３である。従って、図４に示したような折り畳み式セル組立体１０内のセル１６の数は、（４−１）×（４＋１−２）となり、９個である。更に、図４Ａに示したような折り畳み式セル組立体１０の場合、配列は、２、３、４、５、４、３、２である。従って、図４Ａに示したような折り畳み式セル組立体１０では、Ａ＝３，４、Ｂ＝５、ｚ＝１、及びＣ＝４，３である。従って、図４Ａに示したような折り畳み式セル組立体１０内のセル１６の数は、（５−１）×（５＋１−２）となり、１６個である。更に、パネル１４の数は、（（５−１）×２）＋（１−１）となり、８枚である。更に、パネル１４の数は、（（４−１）×２）＋（１−１）となり、６枚である。この式を使用して、等しいサイズの実質的に長方形のセル１６による任意の長方形構成におけるセル１６とパネル１４の枚数を求めることができる。ｚ＝０では、２個のセル１６と３枚のパネル１４を有するセル組立体１０が形成される。更に他の例については、下記の表１を参照されたい。
【手続補正２】
【補正対象書類名】明細書
【補正対象項目名】００１６
【補正方法】変更
【補正の内容】
【００１６】
【数１】
2010527312.tif 000001
【手続補正３】
【補正対象書類名】明細書
【補正対象項目名】００２３
【補正方法】変更
【補正の内容】
【００２３】
図６は、超音波溶接を使用して本発明の折り畳み式セル組立体１０を作成する第２の方法を示す。図６の方法は、複数のアンビル又は類似の装置５２を使用する点が図５の方法と異なる。従って、１枚のパネルが隣りのパネルに接続される各ステップ群において、次の溶接（又は他の接続方法）を始める前に、アンビル又は類似の装置５２を1個のセル１６から抜き出して別のセル１６に挿入しなくてもよい。複数のアンビル又は類似の装置５２が全て同一水平面上にあってもよく、１個おきのアンビル又は類似の装置５２が隣り合った２個のアンビル又は類似の装置５２より低くなるように互い違いに配列されてもよい（例えば、図６のステップ７を参照）。更に、溶接は任意の順序で行うことができる（例えば、２パネル間の第１の端部の溶接を行い、２パネル間の第２の端部の溶接を行い、次に２パネル間の中央の溶接を行ってもよい）。更に、隣接パネル１４を接続する各ステップ群で、１個おきのアンビル又は類似の装置５２だけが使用されることに注意されたい。更に、折り畳み式セル組立体１０を作成する方法は、複数のアンビル又は類似の装置５２の代わりに複数の超音波溶接装置５０（又は、他の接続装置）を用いてもよく、複数の超音波溶接装置５０（又は、他の接続装置）と複数のアンビル又は類似の装置５２を用いてもよいことに注意されたい。
【手続補正４】
【補正対象書類名】特許請求の範囲
【補正対象項目名】全文
【補正方法】変更
【補正の内容】
【特許請求の範囲】
【請求項１】
折り畳み式容器組立体であって、
４枚の壁を有する折り畳み容器であって、４枚の壁が、折り畳み容器が平行四辺形状の動きでつぶれることができるように互いに対して旋回可能である折り畳み容器と、
４枚の壁の内の少なくとも２枚に接続された内側セル構造であって、柔軟で変形可能な材料で形成され、複数のセルを構成する複数の相互接続されたパネルを有するセル構造とを備え、
折り畳み容器は、折り畳み容器が折り畳み位置まで動かされたときに折り畳み式容器組立体が実質的に平らになるように内側セル構造と共に折り畳むことができる折り畳み式容器組立体。
【請求項２】
パネルは発泡ビニールシートで形成されている、請求項１に記載の折り畳み式容器組立体。
【請求項３】
パネルは布で形成されている、請求項１に記載の折り畳み式容器組立体。
【請求項４】
布は織布である、請求項３に記載の折り畳み式容器組立体。
【請求項５】
布は不織布である、請求項３に記載の折り畳み式容器組立体。
【請求項６】
折り畳み容器は波状材料を含む、請求項１に記載の折り畳み式容器組立体。
【請求項７】
パネルは、容器に取り付けられる前に折り目が付けられない、請求項１に記載の折り畳み式容器組立体。
【請求項８】
容器は更に底壁を有している、請求項１に記載の折り畳み式容器組立体。
【請求項９】
パネルは底壁から離間されている、請求項８に記載の折り畳み式容器組立体。
【請求項１０】
容器は底壁を有していない、請求項１に記載の折り畳み式容器組立体。
【請求項１１】
パネルは互いに接着されている、請求項１に記載の折り畳み式容器組立体。
【請求項１２】
パネルは互いに溶接されている、請求項１に記載の折り畳み式容器組立体。
【請求項１３】
セルは全て実質的に同じ断面形状を有する、請求項１に記載の折り畳み式容器組立体。
【請求項１４】
セルの内の少なくとも２個全てが異なる断面形状を有する、請求項１に記載の折り畳み式容器組立体。
【請求項１５】
４枚の壁は旋回点において互い旋回可能であり、内側セル構造は、旋回点の内の２点において４枚の壁の内の少なくとも２枚の壁に接続されている、請求項１に記載の折り畳み式容器組立体。
【請求項１６】
折り畳み式容器組立体であって、
少なくとも２枚の壁を有する折り畳み容器と、
少なくとも２枚の壁に接続された内側セル構造であって、複数のセルを構成する複数の
相互接続されたパネルを有するセル構造とを有し、
折り畳み容器は、折り畳み容器が折り畳み位置まで動かされたときに折り畳み式容器組
立体が実質的に平らになるように内側セル構造と共に折り畳むことができ、
パネルは、容器への取り付け前に折り目が付けられず、
折り畳み容器は波状材料を有する、折り畳み式容器組立体。
【請求項１７】
折り畳み式容器組立体であって、
少なくとも２枚の壁を有する折り畳み容器と、
少なくとも２枚の壁に接続された内側セル構造であって、複数のセルを構成する複数の
相互接続されたパネルを有するセル構造とを有し、
折り畳み容器は、折り畳み容器が折り畳み位置まで動かされたときに折り畳み式容器組
立体が実質的に平らになるように内側セル構造と共に折り畳むことができ、
パネルは、容器への取り付け前に折り目が付けられず、
容器は更に底壁を有しており、
パネルは底壁から離間されている、折り畳み式容器組立体。
【請求項１８】
折り畳み式容器組立体であって、
少なくとも２枚の壁を有する折り畳み容器と、
少なくとも２枚の壁に接続された内側セル構造であって、複数のセルを構成する複数の
相互接続されたパネルを有するセル構造とを有し、
折り畳み容器は、折り畳み容器が折り畳み位置まで動かされたときに折り畳み式容器組
立体が実質的に平らになるように内側セル構造と共に折り畳むことができ、
パネルは、容器への取り付け前に折り目が付けられず、
セルは全て実質的に同じ断面形状を有する、折り畳み式容器組立体。